(57)【特許請求の範囲】
【請求項１】
電子ビームを被観察対象のサンプルの表面に向けて照射して当該サンプルの表面で反転した電子ビームにより形成される当該サンプルの表面形状に対応した画像を生成する電子ビーム画像生成装置において、
電子ビームを生成する照射装置と、
サンプルを筐体から絶縁して保持するサンプルホルダと、
上記サンプルホルダにより筐体から絶縁して保持されるサンプルに電子ビームの加速電圧と同じあるいは高い負の電圧を印加するバイアス電圧源と、
上記生成した電子ビームをもとに、上記負の電圧の印加されたサンプルの表面に向けて帯状の電子ビーム像を結像すると共に、サンプルの表面で反転した帯状の電子ビームを結像する対物レンズと、
上記対物レンズのサンプルのある側と反対側に、上記照射装置で生成された電子ビームを当該対物レンズの軸上へ偏向、および反転した帯状の電子ビームを当該対物レンズの軸上から投影装置の軸上へ偏向する偏向器と、
上記偏向器と上記対物レンズとの間であって、当該対物レンズの焦点面に配置して、上記照射装置で生成された電子ビームを上記サンプル表面に入射する方向の場合には当該サンプル表面の方向に斜めに入射する電子ビームを除いて平行な電子ビームにし、かつ上記サンプル表面から出射する方向の場合にはサンプル表面で照射方向に対して逆方向に反転した電子ビームのみを通過およびそれ以外の方向に反転した電子ビームを遮断、あるいは逆方向と異なる所定方向に反転した電子ビームのみを通過およびそれ以外の方向に反転した電子ビームを遮断し、平行の電子ビームをサンプルに照射すると共に輝度差のある画像を生成する絞りと、
上記絞りを通過した電子ビームを投影して帯状の電子像を形成する投影装置と、
上記投影された帯状の電子像の位置に配置した複数画素からなる検出器と、
上記帯状の電子ビームをサンプルの表面に、当該帯状の電子ビームの長手方向に対して直角方向に連続走査、および長手方向にステップ走査し、上記被観察対象のサンプルの所定面積の画像を生成する走査装置と
を備えたことを特徴とする電子ビーム画像生成装置。
【請求項２】
上記検出器として、上記投影された帯状の電子像に合わせて、直線状の複数画素および当該直線状と直角方向に電荷を同期して転送して蓄積する複数列の直線状の複数画素、を設けた検出器としたことを特徴とする請求項１記載の電子ビーム画像生成装置。
【請求項３】
上記検出器として、帯状の電子像を直接に検出する複数列の直線状の複数画素からなる検出器、あるいは帯状の電子像を光像に変換した後に当該帯状の光像を結像して検出する複数列の直線状の複数画素からなる検出器としたことを特徴とする請求項１あるいは請求項２に記載の電子ビーム画像生成装置
【請求項４】
上記検出器の複数列の直線状の複数画素を上記投影された帯状の電子像に一致させる回転装置を備えたことを特徴とする請求項１から請求項３のいずれかに記載の電子ビーム画像生成装置。
【請求項５】
上記サンプルの表面で、照射された帯状の電子ビームを当該帯状に対して直角方向に走査するように、電子ビームの帯状の方向あるいは走査方向を任意に回転する回転手段を備えたことを特徴とする請求項１から請求項４のいずれかに記載の電子ビーム画像生成装置。
【請求項６】
上記帯状の電子ビームの代わりに任意形状の電子ビームとして上記検出器に投影された当該任意形状の電子像中から当該検出器を構成する複数列の直線状の複数画素で切り出して検出することを特徴とする請求項１から請求項６のいずれかに記載の電子ビーム画像生成装置。
【発明の詳細な説明】
【０００１】
【発明の属する技術分野】
本発明は、電子ビームをサンプルに照射して画像を高速生成する電子ビーム画像生成装置に関するものである。
【０００２】
【従来の技術】
従来、ウエハ上に形成されたパターンの欠陥の検査は、レーザ光を用いた検査装置を使って行っていた。この種の装置では最小０．１３μｍ程度が最高の検出性能である。ウエハ上に形成されたパターンが微細化されるに従いより小さな０．１０μｍ以下の欠陥の検査が必要となっている。この領域になると光を使った装置では波長による限界によりほぼ検出不可能になる。
【０００３】
検出感度が０．１０μｍ以下ではより波長の短い電子線を使った電子顕微鏡の応用が適し、欠陥観察用の走査型電子顕微鏡（以下ＳＥＭという）が商品化されている。この種のＳＥＭの本体は、通常のＳＥＭの本体と同じで、光検査装置で検査し、その位置（座標）を使って欠陥を観察することが主目的となっている。
【０００４】
しかし、これまでの上述したＳＥＭの欠陥観察への応用は、その格段に優れた分解能に係らず、非常に限定されたものでしかなく、光の検査装置に置き換わって使用されるに至っていない。その理由は、検査に要する時間がかかり過ぎるという問題である。
【０００５】
もし現在の代表的なＳＥＭでウエハ全面の欠陥検査を行うとして、それに要する時間を推定してみる。画像（５００×５００画素）上で欠陥の存在を検知できる最小画素数を３（２ピッチ分）とし、検出感度（検出可能な最小のサイズ）を０．０５μｍとする。このとき画像の視野サイズ１２．５μｍ角となるから、直径が８インチのウエハの全面（３００ｃｍ２）で画像は１．９２×１０８枚となる。１画像の取得時間を１秒とすると、２２２２日となる。実際には、この他にステージ移動時間が加わるからさらに長時間がかかる。
【０００６】
【発明が解決しようとする課題】
上述したようにＳＥＭによるウエハ上のパターンの欠陥検査の問題点は検査処理能力（スループット）の低さにある。ＳＥＭによる検査では光検査に比較し検査感度（分可能）が高いので同じ面積を検査する場合の情報量が増大している。したがって、ある程度のスループットの低下はやむをえないが、実際には情報量の比以上の検査時間の増大があり、これが前述の光検査との置き換えが進まない大きな理由と推測される。
【０００７】
検査時間の増大の主たる原因は単一ビームでウエハを順次走査することにある。時間短縮のためにはビーム電流を増やして高速走査する必要があるが、ウエハに対する損傷を避けるためにビーム電流の増強には限界がある。
【０００８】
本発明は、これらの問題を解決するため、帯状の電子ビームをサンプルに向けて照射およびサンプルにバイアス電圧を印加してサンプル表面あるいはその直前で反転させて結像した帯状の電子像を直線状の複数検出素子で検出すると共に、帯状の電子ビームの直角方向に走査を行いつつ直線状の複数検出素子を平行に並べて転送して遅延蓄積を行って高Ｓ／Ｎの画像を生成し、サンプルの表面の画像の生成速度を極めて高速化および遅延蓄積可能にしてＳ／Ｎ比を向上させて更らなる高速画像生成を実現することを目的としている。
【０００９】
【課題を解決するための手段】
図１を参照して課題を解決するための手段を説明する。
図１において、照射装置１は、電子ビーム１２を発生して放出するものである。
【００１０】
偏向器２は、電子ビーム１２を対物レンズ４の軸上に偏向したり、サンプル５の近傍で反転して帰ってきた電子ビームを投影装置１０の軸上に偏向したりなどするものである。
【００１１】
スリット３は、帯状の電子ビームを形成して対物レンズ４に入射したり、サンプル５の表面あるいはその近傍で反転して帰ってきた帯状の電子ビームを通過あるいは遮断したりするものである。
【００１２】
対物レンズ４は、帯状の電子ビームをサンプル５のほぼ表面あるいは表面の直前に細く絞ったり、反転した帯状の電子ビームを結像したりなどするものである。
【００１３】
投影装置１０は、対物レンズ４で結像された帯状の電子像を検出器１７上に投影するものである。
検出器１７は、帯状の電子像を複数素子で検出したり、複数素子を平行に１つあるいは複数並べて、転送して遅延蓄積してＳ／Ｎ比を高くして検出したりなどするものである。
【００１４】
次に、動作を説明する。
照射装置１によって発生した電子ビームを偏向器２で偏向して対物レンズ４の軸上に入射させ、対物レンズ４がスリット３を通過した帯状の電子ビームをサンプル５のほぼ表面あるいは表面の直前に結像し、反転して帰ってきた帯状の電子ビームを結像して電子像を形成してスリット３を通過あるいは遮断し、偏向器２にって帯状の電子ビームを投影装置１０の軸上に偏向し、投影装置１０が検出器１７の入射面に帯状の電子像を投影し、検出器１７が帯状の電子像を１列に並んだ複数素子で検出し、帯状の電子ビームがサンプル５のほぼ表面あるいは表面の直前に結像した帯状の電子ビームが当該帯状とほぼ直角方向に走査されると同期して、検出器１７の複数素子の電荷を隣りの複数素子に転送して信号の遅延蓄積を行って当該信号を出力し、画像を表示などするようにしている。
【００１５】
この際、検出器１７は、投影された帯状の電子像の位置に合わせて直線状の複数画素、および直線状と直角方向に電荷を、帯状の電子ビームの直角方向への走査に同期して転送し蓄積する、１つあるいは複数の直線状の複数画素を設けるようにしている。
【００１６】
また、検出器１７は、帯状の電子像と、複数素子との方向を一致させる回転装置を備えるようにしている。
また、帯状の電子ビームとほぼ直角方向にサンプル表面あるいはサンプル表面の直前で当該帯状の電子ビームを走査するように、電子ビームの帯状の方向あるいは走査方向を任意に回転する回転手段を備えるようにしている。
【００１７】
また、対物レンズ４のサンプル５のある側と反対側に、照射装置１で生成された電子ビームを対物レンズ４の軸上へ偏向、および反転した帯状の電子ビームを対物レンズ４の軸上から投影装置１０の軸上へ偏向する偏向器２を備えるようにしている。
【００１８】
また、検出器１７は、帯状の電子像を直接に検出する直線状の複数検出素子からなる検出器、あるいは帯状の電子像を光像に変換した後に当該帯状の光像を結像して検出する直線状の複数検出素子からなる検出器とするようにしている。
【００１９】
また、記帯状の電子ビームの代わりに任意形状の電子ビームとして検出器１７に投影された当該任意形状の電子像中から検出器１７を構成する直線状の複数画素で切り出して検出するようにしている。
【００２０】
従って、帯状の電子ビームをサンプル５に向けて照射およびサンプル５にバイアス電圧を印加してサンプル表面あるいはその直前で反転させて結像した帯状の電子像を直線状の複数検出素子で検出すると共に、帯状の電子ビームの直角方向に走査を行いつつ直線状の複数検出素子を平行に並べて転送して遅延蓄積を行って高Ｓ／Ｎの画像を生成することにより、サンプル５の表面の画像の生成速度を極めて高速化および遅延蓄積可能にしてＳ／Ｎ比を向上させて更らなる高速画像生成を実現することが可能となる。
【００２１】
【発明の実施の形態】
次に、図１から図８を用いて本発明の実施の形態および動作を順次詳細に説明する。
【００２２】
図１は、本発明のシステム構成図を示す。
図１において、照射装置１は、電子ビーム１２を発生して放出するものであって、電子銃１１、コンデンサレンズ１３などから構成されるものである。
【００２３】
電子銃１１は、エミッタから放出された電子ビームを加速して放射するものである。尚、帯状の電子ビームを形成するために、
・エミッタ４１の先端の電子ビームを放出する部分の形状を帯状に形成して帯状の電子ビームを放射させたり、
・エミッタ４１の先端部分に電子ビームの放出し易い物質を帯状に形成して取り付けて帯状の電子ビームを放射させたり、
・電子銃１１より放出された円形状の電子ビームからコンデンサーレンズをビーム焦点面をつくり成形絞りで切り出して帯状の電子ビームを形成したり、
・４極子レンズあるいは多極子レンズを用いて円形状の電子ビームを帯状（楕円状）に形成したり、
・対物レンズ４の前焦点面の近傍にスリットを配置しサンプル面に対して一定角度をなす平行ビームとしたり、
などの手法がある。いずれにしても、対物レンズ４でサンプル５のほぼ表面あるいは表面の直前に結像した状態で帯状の電子ビームとなればよく、帯状の電子ビームの形成の仕方は上記仕方に限られるものではない。
【００２４】
ここで、実際に検出されるビームの形状は検出器の形状で決まるので、電子ビームの外形の形状は本願発明の原理上、重要なものではない。電子ビームを帯状とする主目的は無駄な電子ビームをサンプルに照射することによる当該サンプル面上の熱の発生や電子ビームによる周辺の汚染を防ぐためである。
【００２５】
コンデンサレンズ１３は、電子銃１１から放出された電子ビームを集束するものである。
偏向器２は、照射装置１から放出された電子ビームの軸を、対物レンズ４の軸上に偏向したり、サンプル５の表面あるいは表面の直前で反転して帰ってきた電子ビームを、投影装置１０の軸上に偏向したりなどするものであって、偏向磁場を発生する偏向器や、偏向電場を発生する静電偏向器などである。
【００２６】
スリット３は、後焦点面の近傍にあって、電子ビームを通過させるスリットである。このスリット３は、照射装置１から放出された電子ビームを通過させ、サンプル５の表面の近傍で反転して帰ってきた電子ビームを通過あるいは一部を遮断（例えばサンプル５の表面に凹凸がある部分で反転した電子ビームを遮断）して帯状の電子像を形成するためのものである。
【００２７】
対物レンズ４は、帯状の電子ビームをサンプル５の表面あるいは表面の直前に結像したり、反転して帰ってきた帯状の電子ビームを結像し帯状の電子像を形成したりなどするものである。この際、後焦点面の近傍にあるスリット３を通過した部分の電子ビームが帯状の電子像の形成に寄与し、遮断された部分が帯状の電子像に寄与しなくなり、結果として、サンプル５の表面の凹凸に対応したコントラストを持つ帯状の電子像が形成されることとなる。
【００２８】
サンプル（ウエハ）５は、帯状の電子ビームとほぼ同じ電圧あるいは若干高い負の電圧を印加するサンプル（ウエハ）であって、表面の凹凸に対応する帯状の電子像を形成する対象である。
【００２９】
ステージ６は、サンプル５を固定してＸ方向、Ｙ方向、更に、Ｚ方向（対物レンズ４の軸方向）に任意に移動させ、任意の位置の画像を形成させるものである。
【００３０】
絶縁体７は、サンプル５をステージ６上に固定して絶縁し、当該サンプル５にバイアス電圧源９から負の電圧（帯状の電子ビームの加速電圧とほぼ同じあるいは若干高い負の電圧）を印加させるものである。
【００３１】
サンプルホルダ８は、ステージ６上に設けてサンプル５を固定するホルダである。
バイアス電圧源９は、サンプル５に負の電圧（帯状の電子ビームの加速電圧とほぼ同じあるいは若干高い負の電圧）を発生して印加するものである。
【００３２】
投影装置１０は、対物レンズ４で結像された帯状の電子像を、検出器１７の検出面に投影するものであって、中間レンズ１４、投影レンズ１５などから構成されるものである。
【００３３】
中間レンズ１４、投影レンズ１５は、対物レンズ４で結像された帯状の電子像を、検出器１７の検出面に任意の倍率で投影するレンズである。これらレンズは、必要な倍率で帯状の電子像を検出器１７の検出面に投影できれば、いずれか一方あるいは両者を用いるようにしてもよい。
【００３４】
検出器１７は、帯状の電子像を検出するものであって、直線状に複数検出素子を配列した検出器（例えばＣＣＤ）であって、複数列を並べて帯状の電子像の移動（つまりステージ移動）に同期して電荷を隣接する素子に転送していわゆる遅延積分してＳ／Ｎ比を向上させて検出するものである。この検出器１７は、帯状の電子像を直接に直線状の複数検出素子に入射して電荷を遅延積分してもよいし、帯状の電子像を光像に変換した後、帯状の光像を直線状の複数検出素子に入射して電荷を遅延積分してもよい。後者の場合には、直線状の複数検出素子を真空外に配置可能となる。
【００３５】
次に、図１の動作を説明する。
ほぼ並行した細い電子ビーム１２を、サンプル５の面の近くに置いた対物レンズ４を通して、一方向（Ｙ方向）では細く収束し、それと直角方向（Ｘ方向）では幅広くした帯状の断面形状としてサンプル５のほぼ表面あるいは表面の直前に照射（結像）する。
【００３６】
サンプル５の面には、電子ビームの加速電圧より数Ｖ高い負電圧（バイアス電圧）を与えておく。電子ビームは、このためサンプル５の表面の直前で反転してサンプル５の表面から遠ざかる。サンプル５の表面が平面で凹凸がないときは反転した電子ビームは再び対物レンズ４のレンズ場の中を通りレンズ作用を受ける。反転電子ビームはこのレンズ作用により収束（結像）して、サンプル５の表面の各点に対応した結像面（電子像）を作る。この結像面に検出器２を配置し、サンプル５の表面の電子像を検出してディスプレイ上に画像を表示する。この際、対物レンズ４の後方の電子ビームの通路にスリット３を置く。サンプル５の表面に凹凸があると反転した電子は凹凸部分の電場の変化の影響を受けて、表面が平坦なときの軌道から外れる。これらの電子はスリット３に衝突し、検出器１７に到達できない。これにより、電子像にはサンプル５の表面の凹凸に対応したコントラストが生じる。
【００３７】
サンプル５は、移動可能なステージ６上に置かれて、帯状の電子ビームの照射を受けつつ帯状に対してほぼ直角方向にステージ６を移動させる。検出器１７は、２次元配列型ＣＣＤとして各素子は配列の縦横のいずれの方向にも同期信号に同期させて電荷の転送が可能なものである。ステージ６の移動に対応してサンプル５の表面の電子像が、検出器１７の検出面上を移動する。この電子像の移動に追従させて検出器１７の各素子の電荷を移動方向に転送する（時間遅延積分を行う）。電子像の１点が検出器１７の検出面の検出素子に入ってきたときから電荷の蓄積が開始され、その点が検出面の検出素子を外れるときまで続く。この結果、ステージ６を停止することなく連続にサンプル５を移動させながら検出信号強度を上げることができる。更に、検出は、検出器１７の配列の各素子で同時に同様に行われるから配列の素子の個数（例えば１列の４０９６個）だけの並列検出ができ、電子像の検出の高速化が可能となる。
【００３８】
尚、これらの際に、照射装置１から放出された電子ビームは、偏向器２で対物レンズ４の軸上に偏向され、偏向された電子ビームは対物レンズ４によって、負電圧の印加されたサンプル５のほぼ表面あるいは表面の直前に帯状の電子ビームを結像し、これが反転して対物レンズ４によって結像されてスリット３を通過した電子ビームの部分が帯状の電子像として形成され、偏向器２によって帯状の電子像が投影装置１０の軸上に偏向され、投影装置１０によって検出器１７の検出面に帯状の電子像が投影される。そして、帯状の電子像が上述した直線状の複数検出素子によって同時に検出されると共に、サンプル５の移動に伴う帯状の電子像の移動に同期して隣接する直線状の複数検出素子に転送して時間遅延積分を行い、高Ｓ／Ｎ比に信号を並列に検出することが可能となる。
【００３９】
次に、図２を用いてサンプル５の表面での電子ビームの反転の様子を説明する。
図２は、本発明のサンプル面での電子の反転説明図を示す。
【００４０】
図２において、サンプル５の表面と対向する対物レンズ４（接地電位）との間にはバイアス電圧（電子ビームの加速電圧とほぼ同じあるいは僅かに高い負の電圧）により強い電場が形成されるが、サンプル５の表面が平坦であれば電場はサンプル５の表面に平行な等電位面となり、電子は等電位面に垂直で、サンプル５の表面から遠ざかる方向（図では上方）に加速度を受ける。バイアス電圧は電子の加速電圧より少し高く（例えば電圧差ｄＶを１Ｖ以下）に設定する。したがって、電子ビームを高速（例えば５ＫＶの加速電圧）で出た電子ビームはサンプル５の表面に近づくにつれて減速し、表面に到達することなく反転する。この際、電圧差を調整して表面に数十ｎｍまで接近させることが可能である。図２に示すように、サンプル５の表面に異物（パーティクル）があると、その近傍の電場が前述の平坦な状態から乱される。また、反転位置の近くの電子の速度は小さくなる。このため電子はこの電場により散乱される。平坦な電場の場合の軌道から大きく外れてしまう。スリット３は電場が平坦のときに反転した電子ビームが収束（結像）して通過できるように配置（調整）されているので、この軌道から外れた電子ビームはスリット３に衝突して遮断され通過できない。スリット３を通過した電子ビームのみが検出器１７に到達し一定の信号強度を与え、異物により散乱された電子ビームはスリット３で遮断されて検出器１７に到達できず信号強度は減少する。この信号強度の差が電子像（画像）のコントラストを生成する。
【００４１】
以上のように、バイアス電圧をサンプル５に印加した状態で、帯状の電子ビームをサンプル５に向けて照射し、サンプル５のほぼ表面あるいは表面の直前に結像させて反転させ、反転した電子ビームを対物レンズ４で結像してスリット３でサンプル５の表面で異物などの影響で散乱して反転した電子ビームを遮断し、スリット３を通過した電子ビームで形成した帯状の電子像を投影装置１０で検出器１７の検出面に投影して検出して画像を表示することにより、サンプル５の表面の異物の影響をコントラストで表現した画像を検出器１７の複数素子で並列検出かつ時間遅延積分して極めて高速に表示することが可能となる。
【００４２】
図３は、本発明の説明図（照射系／結像系）を示す。これは、図１の電子光学系を照射系と結像系、更に帯状の電子ビームのＸ方向、Ｙ方向に分けてそれぞれ示す。実施のＸ、Ｙ方向は、磁場中を進行する電子ビームの軌道が回転するため、空間に固定された方向ではなく、磁場の分布にしたがって方向は回転している。また、実際には電子ビームの軌道は磁極の磁場中で曲がっているがここでは説明を簡単に分かり易くするために直線上に図示している。
【００４３】
まず、図３の（ａ），（ｂ）の照射系で電子銃１１を構成するエミッタ４１から放出された電子ビームはコンデンサレンズ（１）１３−１およびコンデンサレンズ（２）１３−２で収束され、更に、スリット３を通過して対物レンズ４で結像されてサンプル５の表面に入射する。コンデンサーレンズ（１）１３−１の焦点面に成形絞り４７をおき、電子ビームの形状を帯状に成形する。この成形は、反転ビームが検出器に入射するとき検出面をカバーするに十分の大きさがあればよい。検出器の検出面の全体より大きくても本質的な問題はない。
【００４４】
帯状の電子ビームはサンプル５の表面に対してほぼ垂直に入射し、バイアス電圧の印加されたサンプル５のほぼ表面あるいは表面の直前で反転する。ここで、図３の（ａ）はＸ面の帯状の電子ビームの様子を示し、図示のように帯状のうちの長い部分について照射する様子を模式的に示す。一方、図３の（ｂ）はＹ面の帯状の電子ビームの様子を示し、図示のように帯状のうちの幅の狭い部分について照射する様子を模式的に示す。尚、図示の図３の（ａ），（ｂ）は、電子銃１１を構成するエミッタ４１の先端の電子を放出する部分の形状を帯状（あるいは楕円状）にして帯状の電子ビームを電子銃１１から放出しているが、既述したように他の仕方で帯状の電子ビームを形成してもよく、そのときは図示の電子ビームの経路とは異なり、それぞれの仕方に対応した電子ビームの経路を取るものである。
【００４５】
図３の（ｃ）、（ｄ）は、同様に、結像系（Ｘ、Ｙ）の帯状の電子ビームを結像して検出器１７に投影する様子を模式的に示す。ここでは、既述したように、サンプル５のほぼ表面あるいは表面の直前で反転した電子ビームは対物レンズ４で結像され、スリット３を通過した帯状の電子ビームが中間レンズ１４、投影レンズ１５によって検出器１７の検出面上に所定倍率で投影される。そして、検出器１７で既述したように直線状の複数検出素子で並列検出して高速画像生成し、更に、時間遅延積分してＳ／Ｎ比を高めて高速化を図り、結果として極めて高速にサンプル５の表面の画像を生成することを実現している。
【００４６】
ここで、検出器１７のピッチをＤＳとすれば、得られる画像の分解能はこれによって制限を受ける。結像系の倍率をＭとすれば、２ＤＳ／Ｍがサンプル５の表面の分解能を決定する。ＤＳを１５μｍ、結像系の倍率を６００倍とすれば、分解能は２ＤＳ／Ｍ＝２×１５μｍ／６００＝５０ｎｍが得られる。一方、分解能は電子光学系の収差によって制限される。ここでミラー反射光学系の場合には電子の速度が０となる反転領域の収差が決定的であり、次の（式１）で評価される。
【００４７】
ｄ（ｎｍ）≒１０００／３（Ｅ）１／３  ・・・・・（式１）
ここで、Ｅは電界（Ｖ／ｃｍ）である。
今、Ｅ＝１５ＫＶ／ｃｍとすると、ｄ≒１４ｎｍとなる。
【００４８】
図４は、本発明の１実施例構成図を示す。ここで、図示していない真空チェンバーの中に、サンプル（ウエハ）５と、サンプル（ウエハ）５を搭載するステージ６、サンプル５の上部にサンプル５に帯状の電子ビームを照射する照射系（コンデンサレンズ１３と対物レンズ４）および反転した電子ビームの結像系（対物レンズ４、中間レンズ１４、投影レンズ１５）と検出器１７がある。
【００４９】
照射系では電子ビームは電子銃１１の中のエミッタ４１から放出されコンデンサレンズ１３によって収束され、途中で偏向器２によって作られる磁場あるいは電場により方向を変えられた後、スリット３、対物レンズ４を通ってサンプル５の表面にほぼ垂直に帯状の電子ビームが照射する。
【００５０】
結像系ではサンプル５のほぼ表面あるいは表面の直前で反転した帯状の電子ビームが３段レンズ系（対物レンズ４、中間レンズ１４、投影レンズ１５）によって結像し、トランスデューサ２０の蛍光面にサンプル５の表面で反転した帯状の画像を形成する。トランスデューサ２０は、透明な平板（例えばガラス）の電子ビームの入射面に蛍光塗料を塗布し、反対側から光像を観察できるようにしたものである。この光像をＣＣＤカメラ２３で撮影する。ＣＣＤカメラ２３はＣＣＤ検出面に結像するように焦点を合わせたカメラレンズ２１、ＣＣＤ検出器２２などからなり、ＣＣＤ検出器２２は多数（例えば４０９６個）の検出素子（ＣＣＤ）が直線状に配列したもので、帯状に収束された電子ビームを同時に検出可能である。更に、ＣＣＤ検出器２２は、複数列平行に並べ各列の信号を同期信号によって隣接した列への転送ができる構造（遅延積分型）を用いる。
【００５１】
サンプル（ウエハ）５、ステージ６、電子ビームの通路は真空チェンバー内に収納され、図示しない真空排気装置で常時真空排気される。ステージ６は真空外に置かれたモータ（図示しない）によりＸＹの２次元平面内を駆動される。図では１組しか示さないが、直角方向にもう１組のモータがある。
【００５２】
サンプル（ウエハ）５は、絶縁体７を介在してサンプルホルダ８に保持され、真空外のバイアス電圧源９から負の高電圧が印加される。サンプルホルダ８は図示しないが駆動装置により水平面内で必要な範囲内を移動できる。
【００５３】
また、サンプル５のほぼ表面あるいは表面の直前で反転した電子ビームは対物レンズ４をとおりほぼ同じ軌道を逆向きに進んで、同じ偏向器２で逆方向に曲がり、中間レンズ１４、投影レンズ１５によりトランスデューザ２０面に拡大表示されて結像する。変換された光像はカメラレンズ２１でＣＣＤ検出器２２に焦点合わせされて検出され画像信号として図６の画像信号処理装置３２を経て画像データメモリ３３に記録される。ＣＣＤカメラ２３のＣＣＤ検出器２２は既述したように一定方向に多数の画素（例えば４０９６画素）からなる列を、平行に少数（例えば３２列）並べた構造である。これに対応してトランスデューサ２０もＣＣＤ検出器２２の列方向に長く、直角方向には短くてよい。したがって、サンプル５を照射する電子ビームの範囲に対応する方向に線状の形状であってもよい。対物レンズ４と投影レンズ１５による拡大結像系によってサンプル５上の１点がＣＣＤカメラ２３のＣＣＤ検出器２２の１点に１対１に対応するから、ＣＣＤ検出器２２の１列に対応するサンプル５の表面の線状部分が同時に検出される。
【００５４】
また、図４の回転装置２４は、ステージ６の送り方向と２次元配列検出器（ＣＣＤ）の配列の方向を一致させるために、ＣＣＤカメラ２３の回転を行えるようにしたものである。
【００５５】
図５は、本発明の説明図（遅延積分）を示す。これは、ＣＣＤ検出器の配列と検出面に配列された画像の例を示す。この例では、検出器はＣＣＤ素子８個の配列が６列に並んでいる。この図では各列の間隔が開いているが、実際にはできるだけ接近した配列をとる。この検出器面でパターンＰ，Ｑを含む光学像が結像される。ここで、サンプル５を搭載したステージ６を移動させると、それに対応してＣＣＤ面上で列方向と直角方向に光像Ｐ，Ｑが光像Ｐ’，Ｑ’へそれぞれ移動する。この光像の移動速度に同期してＣＣＤの各列に電荷転送を行えば列数分の同期蓄積される。ＣＣＤカメラのＣＣＤは列Ａ，Ｂ，Ｃ，Ｄ・・・で、各列はＣＣＤ素子が１，２，３，４，５・・・で構成される。このＣＣＤ素子の配列の面に光像Ｐ，Ｑが入射していると、列Ａの３と４の素子、列Ｂの５と６の素子、列Ｃの５と６の素子に信号が発生する。光像は時間とともに矢印方向に移動し、Ｐ’，Ｑ’の位置に進むものとする。光像が移動する速度をＶ，ＣＣＤの列配置のピッチをＤとしたとき、ＣＣＤのサンプリング周期は、
Ｔ＝Ｄ／Ｖ
となり、実効サンプリング時間は
τ＝ｋＤ／Ｖ
とする。ここで、ｋは１より小さな定数で、実効的なサンプリング時間はサンプリング周期より小さい。ＣＣＤの各列の各素子に蓄積された信号（電荷）は周期Ｔで隣の列（Ａ→Ｂ→Ｃ→Ｄ，Ｂ→Ｃ→Ｄ。Ｃ→Ｄ→、Ｄ→）の隣接素子に転送される。転送の速度は光像の移動速度に合わせているから信号は転送によってその回数分、すなわち列数分だけ像倍する。
【００５６】
この方式は遅延蓄積とよばれる方法で、ＣＣＤによる画像信号の読取速度を上げるために極めて有効である。
図６は、本発明の１実施例構成図を示す。ここで、制御装置３１は、ステージ位置読み取りのためのレーザ干渉計３７の出力であるステージ位置情報をもとにＣＣＤカメラ２３の同期信号を発生し、時間遅延積分の制御を行う。ＣＣＤカメラ２３の出力は画像信号処理装置３２を経て画像データメモリ３３に記録される。出力の各列はステージ移動に対応しており、画像データメモリ３３のデータを再構成することによりサンプル５の表面に対応した画像を得ることができる。
【００５７】
図７は、本発明の特徴説明図を示す。ここで、図７の（ａ）の従来方式のステップ＆リピート方式では、１画像ごとにステージの移動と停止を繰り返している。図の実線の各矢印がステップ移動を示す。一方、図７の（ｂ）の本発明の方式では、１方向に直線移動で、それと直角方向はステップ移動である。連続移動の長さは原理的にはステージ可動範囲内であればよいからステップ移動の回数は大幅に少なくなり、結果としてサンプルの全領域を走査する時間の短縮になると共に、既述したようにＣＣＤ検出器の列方向の素子数（例えば４０９６個）について同時に並列に検出でき、高速読み取り可能となると共に、列方向を複数にして時間遅延積分を行ってＳ／Ｎ比を高めて更に高速読み取りが可能となるという、極めて優れた特徴を有するものである。
【００５８】
図８は、本発明の効果説明図を示す。図中で、従来技術の電子ビームを利用した検査装置は走査型電子顕微鏡の原理を応用したものである。検査対象のサンプル５の表面を点状に収束して電子ビームで走査し、サンプル５の面から発生する２次電子を検出し走査画像を得るものである。この方式では、全情報が単一の時系列信号として出力されるから、検査速度を決めるものは電子ビームの走査の速度と検出系の速度である。図８は、本発明と従来技術との比較を示す。電子ビームの電流密度が過大になるとサンプル５に損傷を与えるのため従来技術ではサンプリングの速度を上げることができないことが両者の差を決定的にしている。
【００５９】
ここでは従来技術では３０分かかる検査が、本願発明では５分でできることが判明し、これは、既述した帯状の画像を直線状の複数素子で並列同時検出し、かつ列方向に複数ならべて遅延時間積分してＳ／Ｎ比を高めて更に高速検出を実現したものである。
【００６０】
【発明の効果】
以上説明したように、本発明によれば、帯状の電子ビームをサンプル５に向けて照射およびサンプル５にバイアス電圧を印加してサンプル表面あるいはその直前で反転させて結像した帯状の電子像を直線状の複数検出素子で検出すると共に、帯状の電子ビームの直角方向に走査を行いつつ直線状の複数検出素子を平行に並べて転送して遅延蓄積を行って高Ｓ／Ｎの画像を生成する構成を採用しているため、サンプル５の表面の画像の生成速度を極めて高速化および遅延蓄積可能にしてＳ／Ｎ比を向上させて更らなる高速画像生成を実現することが可能となる。
これらにより、従来の電子ビームでサンプル面を面走査して画像を生成して検査していた場合に比して極めて高速にサンプル面の画像を生成して検査することが可能となる。特に、ウエハ上に形成されたパターン欠陥などを検査するウエハ検査装置に利用した場合に顕著な効果が得られるものである。
【図面の簡単な説明】
【図１】本発明のシステム構成図である。
【図２】本発明のサンプル面での電子の反転説明図である。
【図３】本発明の説明図（照射系／結像系）である。
【図４】本発明の１実施例構成図である。
【図５】本発明の説明図（遅延積分）である。
【図６】本発明の１実施例構成図である。
【図７】本発明の特徴説明図である。
【図８】本発明の効果説明図である。
【符号の説明】
１：照射装置
１１：電子銃
１２：電子ビーム
１３：コンデンサレンズ
２：偏向器
３：スリット
４：対物レンズ
５：サンプル（ウエハ）
６：ステージ
７：絶縁体
８：サンプルホルダ
９：バイアス電圧源
１０：投影装置
１４：中間レンズ
１５：投影レンズ
１７：検出器
２０：トランスデューサ
２１：カメラレンズ
２２：ＣＣＤ検出器
２３：ＣＣＤカメラ
２４：回転装置
３１：制御装置
３２：画像信号処理装置
３３：画像データメモリ
３７：レーザ干渉計
４１：エミッタ
【図１】
0004596351.tif 000002
【図２】
0004596351.tif 000003
【図３】
0004596351.tif 000004
【図４】
0004596351.tif 000005
【図５】
0004596351.tif 000006
【図６】
0004596351.tif 000007
【図７】
0004596351.tif 000008
【図８】
0004596351.tif 000009